【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
日除け収納ロールを支持するブラケットを具える日除けシステムに設けた非可逆パワースプリング装置において：
前記収納ロールに連結された少なくとも１つの付勢システムであって、
第１端部と第２端部を有する付勢部材を具え、前記第２端部が、前記収納ロールの回転時に当該収納ロールと共に移動し、前記第１端部が、前記収納ロールが第１方向に回転する時には前記収納ロールに対して静止した状態で保持されるが、第２方向に回転する時には保持されない、付勢システムと；
前記少なくとも１つの付勢システムのサポートであって、
前記収納ロールが前記第１方向に回転する時には前記第１端部を動かないよう保持するが、前記収納ロールが前記第２方向に回転する時には前記第１端部が通過できる、突起部を含む、サポートと；
前記収納ロールに摺動可能に連結されたハウジングであって、
当該連結により、前記収納ロールの長さに沿って前記ハウジングが動き、
同時に、当該連結により、前記収納ロールの回転時に前記収納ロール内に前記ハウジングが固定され、前記付勢部材が前記ハウジング内にある、ハウジングと；
を具えることを特徴とする非可逆パワースプリング装置。
【請求項２】
請求項１に記載の装置において、前記付勢部材が前記ハウジング内に収まり、前記付勢部材の第１端部が当該ハウジングに連結されていることを特徴とする装置。
【請求項３】
請求項１に記載の装置において、前記収納ロールが、当該収納ロールに連結されているモータを具え、このモータが前記収納ロールを移動させることを特徴とする装置。
【請求項４】
前記付勢部材が、コイル状に巻かれたフラットスプリングであることを特徴とする請求項１に記載の装置。
【請求項５】
請求項１に記載の装置において、前記付勢システムのサポートが前記ブラケットに連結されており、前記ブラケットと前記サポートが静止したままで、前記収納ロールが回転することを特徴とする装置。
【請求項６】
請求項１に記載の装置において、前記ハウジングが、当該ハウジングの外側に、前記ハウジングの内側から前記付勢部材の第２端部を受けて、前記第２端部を適所に保持するのに適した機構を具えることを特徴とする装置。
【請求項７】
日除けを有する日除け収納ロールを支持するブラケットを具える日除けシステムに設けたモジュール型非可逆パワースプリング装置において、
前記日除けシステムが：
外面とレシーバー端部とコネクタ端部とを有し、第１非可逆付勢部材を内包する、第１ハウジングと；
前記第１ハウジングのコネクタ端部に連結された、少なくとも１つのコネクタと；
前記第１ハウジングのレシーバー端部に連結された、少なくとも１つのレシーバーと；
外面とレシーバー端部とコネクタ端部とを有し、第２非可逆付勢部材を内包する、第２ハウジングと；
前記第２ハウジングのコネクタ端部に連結された、少なくとも１つのコネクタと；
前記第２ハウジングのレシーバー端部に連結された、少なくとも１つのレシーバーと；
ブラケットと連結したサポートと；
を具え、
前記第１非可逆付勢部材が、
第１端部と第２端部を有し、
当該第１端部が前記第１ハウジングに連結されていると共に、前記第２端部がある特徴を有し；
前記第２非可逆付勢部材が、第１端部と第２端部を有し、
当該第１端部が前記第２ハウジングに連結されていると共に、前記第２端部がある特徴を有し；
前記第１ハウジングの少なくとも１つのコネクタと前記第２ハウジングの少なくとも１つのレシーバーが、選択的に前記第１ハウジングと前記第２ハウジングを互いに固定し、
これにより当該第１ハウジングと当該第２ハウジングの意図しない分離を防止し；
前記第１ハウジングと前記第２ハウジングが日除け収納ロールに連結し；
前記サポートが溝を有し；
前記第１非可逆付勢部材の特徴を前記サポートの溝で受けて、前記第２非可逆付勢部材の特徴を前記サポートの溝で受け；
前記日除け収納ロールが前記サポートの周りを回転し；
前記日除け収納ロールが第１方向に回転する時には、前記第１非可逆付勢部材の特徴と前記第２非可逆付勢部材の特徴が、前記サポートの溝内の所定の位置に保持され；
前記日除け収納ロールが第１方向と反対の第２方向に回転する時には、前記サポートの溝によって、前記第１非可逆付勢部材の特徴と前記第２非可逆付勢部材の特徴が溝の外を通過し、前記第１非可逆付勢部材の特徴と前記第２非可逆付勢部材の特徴が逆回転する又は巻き戻されることを防止する；
ことを特徴とする日除けシステム。
【請求項８】
請求項７に記載の装置において、前記第１非可逆付勢部材の特徴が丸い先端であり、前記第２非可逆付勢部材の特徴が丸い先端であることを特徴とする装置。
【請求項９】
請求項７に記載の装置が、更に：
第１端部キャップと第２端部キャップを具え、前記第１端部キャップと第２端部キャップが、前記収納ロールによって静止した状態で保持され、前記収納ロールによって前記サポートの周りを回転するように前記第１端部キャップが第１端部で前記日除け収納ロールに連結されており、前記第２端部キャップが第２端部で前記日除け収納ロールに連結されていることを特徴とする装置。
【請求項１０】
請求項７に記載の装置が、更に：
外面とレシーバー端部とコネクタ端部とを有し、第３非可逆付勢部材を内包する、第３ハウジングと；
前記第３ハウジングのコネクタ端部に連結された少なくとも１つのコネクタと；
前記第３ハウジングのレシーバー端部に連結された少なくとも１つのレシーバ−と；
を具え、
前記第３非可逆付勢部材が、第１端部と第２端部を有し、当該第１端部が前記第２ハウジングに連結されており、前記第２端部がある特徴を有し、前記第２ハウジングの少なくとも１つのコネクタと前記第３ハウジングの少なくとも１つのレシーバーが、選択的に前記第１ハウジングと前記第３ハウジングを互いに固定し、これにより前記第１ハウジング、前記第２ハウジングと前記第３ハウジングの意図しない分離を防止する；
ことを特徴とする装置。
【請求項１１】
請求項７に記載の装置において、
前記サポートの溝が、第１側部と第２側部を有し；
前記溝の第１側部が、鋭利又は凹形であり、第１方向に回転する時に前記第１非可逆付勢部材の特徴を保持でき；
前記溝の第２側部が、平坦又は凸形であり、第２方向に回転する時に、前記第１非可逆付勢部材の特徴を前記溝の上で傾斜させる；
ことを特徴とする装置。
【請求項１２】
請求項７に記載の装置において、
前記日除け収納ロールの内面がオス型又はメス型のコネクタを具え、前記第１ハウジングの外面がこれと対応するオス型又はメス型のコネクタを具え、前記第１ハウジングのオス型又はメス型のコネクタが、前記日除け収納ロールのオス型又はメス型のコネクタに連結されるように適合し、前記日除け収納ロールと前記第１ハウジングを固定することを特徴とする装置。
【請求項１３】
請求項７に記載の装置が、更に
前記日除け収納ロールに配置されたモータ組立体を具えることを特徴とする装置。
【請求項１４】
請求項７に記載の装置が、更に
前記日除け収納ロールの内に配置された電源を具えることを特徴とする装置。
【請求項１５】
請求項７に記載の装置において、
前記第１非可逆付勢部材が、スプリング及びコイル状フラットスプリングからなる群から選択されることを特徴とする装置。
【請求項１６】
日除け収納ロールを支持するブラケットを具える日除けシステムに設けたモジュール型非可逆パワースプリング装置であって：
外面とレシーバー端部とコネクタ端部とを有し、第１非可逆付勢部材を内包する、第１ハウジングと；
外面とレシーバーとコネクタを有し、第２非可逆付勢部材を内包する、第２ハウジングと；を具え
前記第１非可逆付勢部材が、
第１端部と第２端部を有し、当該第１端部が前記第１ハウジングに連結され、前記第２端部がある特徴を有し；
前記第２非可逆付勢部材が、第１端部と第２端部を有し、当該第１端部が前記第２ハウジングに連結され、前記第２端部がある特徴を有し；
前記第１ハウジングと第２ハウジングが選択的に互いを固定し、これにより前記第１ハウジングと第２ハウジングの意図しない分離を防止し；
サポートがブラケットに連結され；
当該サポートが溝を有し；
前記第１非可逆付勢部材の特徴を前記サポートの溝で受け；
前記第２非可逆付勢部材の特徴を前記サポートの溝で受け；
前記日除け収納ロールが前記サポートの周りを回転し、前記日除け収納ロールが第１方向に回転する時には、前記第１非可逆付勢部材の特徴と前記前記第２非可逆付勢部材の特徴が、前記サポートの溝内の所定の位置で保持され；
前記日除け収納ロールが第１方向と反対の第２方向に回転する時には、
前記サポートの溝により、前記第１非可逆付勢部材の特徴と前記第２非可逆付勢部材の特徴が溝の外を通過し、前記第１非可逆付勢部材の特徴と前記第２非可逆付勢部材の特徴が逆回転する又は巻き戻されることを防止し；
前記日除け収納ロールにモータ組立体が配置されている；
ことを特徴とするモジュール型非可逆パワースプリング装置。
【請求項１７】
請求項１６に記載の装置において、
前記第１ハウジングと第２ハウジングが、互いに係合するコネクタとレシーバーを有し、これにより前記第１ハウジングと第２ハウジングが互いに保持されることを特徴とする装置。
【請求項１８】
請求項１６に記載の装置が、更に
第１端部キャップと第２端部キャップを具え、前記第１端部キャップと第２端部キャップが、前記収納ロールによって静止した状態で保持され、前記収納ロールによって前記サポートの周りを回転するように前記第１端部キャップが第１端部で前記日除け収納ロールに連結され、前記第２端部キャップが第２端部で前記日除け収納ロールに連結されていることを特徴とする装置。
【請求項１９】
請求項１６に記載の装置が、更に
前記日除け収納ロールの内部に配置され、前記モータ組立体に電気的に接続されている電源を具えることを特徴とする装置。
【請求項２０】
請求項１６に記載の装置において、
前記第１非可逆付勢部材が、スプリング及びコイル状フラットスプリングからなる群から選択されることを特徴とする装置。